(57)【要約】      （修正有）【課題】内股線に縫い代が無く、着用した際に履き心地が良く、且つ細みのある美しいシルエットを得るズボンを提供する。【解決手段】ズボン１は、２つの筒部２、３を備え、筒部２は、前身頃２２及び後身頃２３が内股線２４において連続した一枚の生地片から成る。生地片は、その左右両縁の一方を前身頃２２側の脇線２５、他方を後身頃２３側の脇線２６としたとき、少なくとも一方の脇線２５、２６が生地内側に湾曲している。そして、各脇線２５、２６が互いに縫合される。この構成によれば、内股線２４に縫い代が無いので、着用した際の履き心地を良くすることができる。また、脇線２５、２６が生地内側に湾曲しているので、内股側のえぐりを、脇側に逃がすことで、細みのある美しいシルエットを得ることができる。【選択図】図１
0003214243.tif 000002
【実用新案登録請求の範囲】
【請求項１】
少なくとも２つの筒部を備えたズボンであって、
前記筒部は、前身頃及び後身頃が内股線において連続した一枚の生地片から成り、
前記生地片は、その左右両縁の一方を前身頃側の脇線とし、他方を後身頃側の脇線としたとき、少なくとも一方の脇線が生地内側に湾曲しており、
前記前身頃側の脇線及び前記後身頃側の脇線が互いに縫合されることを特徴とするズボン。
【請求項２】
前記生地片の伸縮率は、２％以上であることを特徴とする請求項１に記載のズボン。
【請求項３】
前記生地片の繊維方向が、前記内股線と平行であることを特徴する請求項１又は請求項２に記載のズボン。
【請求項４】
前記後身頃側の脇線が、前記前身頃側の脇線より、生地内側に大きく湾曲していることを特徴とする請求項１乃至請求項３のいずれか一項に記載のズボン。
【考案の詳細な説明】
【技術分野】
【０００１】
本考案は、ズボンに関する。
【背景技術】
【０００２】
図５に示すように、一般的なズボン１０１は、左足を挿入する左筒部１０２と右足を挿入する右筒部１０３とを、股ぐり部１２１、１３１で縫合することにより製作されている。また、図６に示すように、左筒部１０２は、左前身頃１２２及び左後身頃１２３の２枚の生地片を、内股線１２４及び脇線１２５で夫々縫合することにより製作され、右筒部１０３は、右前身頃１３２と右後身頃１３３の２枚の生地片を、内股線１３４及び脇線１３５で夫々縫合することにより製作される。なお、図６では、生地片の表地を正面側としている。
【０００３】
このような一般的なズボンにおいて、各生地片は、生地片の端部を一部折り返して、重ね合わせた状態で縫合されるので、それらの縫い代は、着用者の肌に直接接触するズボンの内側に形成されている。これらの縫い代のうち、内股線の縫い代は、着用者に対して擦れ感やあたり感といった不快感を与えることがあり、特に、シルエットを細く魅せることができるスリムタイプのズボンでは、縫い代が着用者の内股により接触した状態となるので、例えば、歩行や運動時に縫い代と肌とが擦れると、着用者により大きな不快感を与えかねない。
【０００４】
そこで、前身頃と後身頃が内股線で連続した一枚の生地片を用い、生地片の両縁部を脇線で縫合して筒部を製作することにより、内股線における縫い代を無くしたズボンが知られている（例えば、特許文献１参照）。
【先行技術文献】
【特許文献】
【０００５】
【特許文献１】特開２０１２−３１５６３号公報
【考案の概要】
【考案が解決しようとする課題】
【０００６】
ところで、一般的なズボンでは、図６で示したように、内股線１２４、１３４が、生地内側に湾曲しており、これらを縫合することで、筒部１０２、１０３（図５も参照）を製作している。この構成によれば、腿内側部分に一定の余裕を持たせつつ、膝内側部分にかけて筒部１０２、１０３がテーパ状に細くなるので、履き心地が良く、しかも細みのある美しいシルエットを得ることができる。
【０００７】
しかしながら、上記特許文献１に記載のズボンのように、内股線で連続した一枚の生地片を用いた場合、腿部周辺から裾部まで直線状となり、細みのある美しいシルエットを得ることができない。
【０００８】
本考案は、上記課題に鑑みてなされたものであり、内股線に縫い代が無く、着用した際に履き心地が良く、且つ細みのある美しいシルエットを得ることができるズボンを提供することを目的とする。
【課題を解決するための手段】
【０００９】
上記課題を解決するため、本考案は、少なくとも２つの筒部を備えたズボンであって、前記筒部は、前身頃及び後身頃が内股線において連続した一枚の生地片から成り、前記生地片は、その左右両縁の一方を前身頃側の脇線とし、他方を後身頃側の脇線としたとき、少なくとも一方の脇線が生地内側に湾曲しており、前記前身頃側の脇線及び前記後身頃側の脇線が互いに縫合されることを特徴とするズボン。
【００１０】
上記ズボンにおいて、前記生地片の伸縮率は、２％以上であることが好ましい。
【００１１】
上記ズボンにおいて、前記生地片の繊維方向が、前記内股線と平行であることが好ましい。
【００１２】
上記ズボンにおいて、前記後身頃側の脇線が、前記前身頃側の脇線より、生地内側に大きく湾曲していることが好ましい。
【考案の効果】
【００１３】
本考案によれば、内股線に縫い代が無いので、着用した際の履き心地を良くすることができる。また、脇線が生地内側に湾曲しているので、従来のズボンにおける内股側のえぐりを、脇側に逃がすことで、細みのある美しいシルエットを得ることができる。
【図面の簡単な説明】
【００１４】
【図１】本考案の一実施形態に係るズボンの斜視図。
【図２】上記ズボンの筒部を構成する生地片の縫製前の状態を示す平面図。
【図３】上記ズボンにおける生地の繊維方向（模様）を示す斜視図。
【図４】上記生地片を型入れした状態を示す平面図。
【図５】従来の一般的なズボンの斜視図。
【図６】従来の一般的なズボンを構成する生地片の縫製前の状態を示す平面図。
【考案を実施するための形態】
【００１５】
本考案の一実施形態に係るズボンについて、図面を参照して説明する。図１に示すように、本実施形態のズボン１は、左足を挿入する左筒部２と、右足を挿入する右筒部３と、を備え、左筒部２の股ぐり部２１と、右筒部３の股ぐり部３１とが縫合されることによって製作されている。左筒部２は、主に左前身頃２２及び左後身頃２３から成り、主に右筒部３は、右前身頃３２及び右後身頃３３から成る。なお、図１では、説明の便宜上、左筒部２及び右筒部３の各内股線２４、３４に相当する部分を２点鎖線で示しているが、実際のズボン１の当該部分に縫い目等の線は存在しない（後述する図３も参照）。
【００１６】
図２は、左筒部２を構成する生地片２０を示す。なお、図２では、生地片の表地を正面側としており、右筒部３を構成する生地片３０（後述する図４参照）は、図示した生地片２０と左右対称形状である。生地片２０は、左前身頃２２及び左後身頃２３が内股線２４において連続した一枚の生地片である。生地片２０は、例えば、伸縮性のあるニット生地、又は布帛等が好適に用いられ、布帛であれば、その伸縮率が２％〜１５％であることが好ましい。なお、図２の点線は、説明の便宜上、従来の２枚の生地片で筒部を製作する場合の生地形状の例を示したものであり、本実施形態のズボン１の生地片の形状に関係するものではない。
【００１７】
また、生地片２０は、その左右両縁の一方を左前身頃２２側（以下、前側）の脇線２５とし、他方を左後身頃２３（以下、後側）の脇線２６としたとき、少なくとも一方の脇線（図例では両方の脇線２５、２６）が、生地内側に湾曲している。特に、股ぐり部２１の下端部から脇線２６方向の生地幅（図例の線分２０Ａ、２０Ｂで示す）が広めになっており、ズボン１が製作された際には、ヒップラインから腿周辺部の箇所に一定の余裕を持たせている。また、膝周辺部の生地幅（図例の線分２０Ｃ、２０Ｄ）は、腿周辺部から裾周辺部方向へ下がる程に、テーパ状に狭くなっている。
【００１８】
このような生地片２０において、前側の脇線２５及び後側の脇線２６が互いに縫合されることで、左筒部２が製作される。また、左筒部２と同様に、右筒部３もまた、各脇線３５（図１参照）で縫合されて製作される。そして、上述したように、左筒部２及び右筒部３が、股ぐり部２１、３１で縫合されることにより、ズボン１が製作される。
【００１９】
本実施形態のズボン１では、左前身頃２２と左後身頃２３が内股線２４で連続した一枚の生地片２０を用い、生地片２０の両縁部を脇線２５，２６として縫合しているので、内股線２４に縫い代が無く、着用した際の履き心地を良くすることができる。
【００２０】
また、一般的な２枚の生地片で一方の筒部を成すスリムタイプのズボン（図６参照）では、内股線１２４、１３４を生地内側に湾曲させることで、筒部１０２、１０３が、膝内側部分にかけてテーパ状に細くなるシルエットを得ていた。一方、本実施形態のズボン１では、筒部（ここでは左筒部２）を成す生地片２０において、脇線２５、２６を生地内側に湾曲させることで、左筒部２が、膝外側部分にかけてテーパ状に細くなるシルエットを得ることができる。すなわち、従来のズボンにおける内股側のえぐりを、脇側に逃がすことで、内股線で連続した１枚の生地片２０で左筒部２を成したズボン１においても、従来のスリムタイプのズボンと同様に、細みのある美しいシルエットを得ることができる。
【００２１】
また、生地片２０に２％以上の伸縮性を有する素材を用いることで、内股側のえぐりを脇側に逃がすことができ、湾曲線を適切な角度で縫合させることができ、違和感なく人体に合う立体的なズボン１を製作することができる。
【００２２】
なお、後側の脇線２６が、前側の脇線２５より、生地内側に大きく湾曲していてもよい。一般的な２枚の生地片で一筒部を成すズボンでは、前身頃の生地片よりも後身頃の生地片の方が大きく、内股線のえぐりも、後身頃の生地片の方がやや大きくなる。そこで、１枚の生地片で筒部を成す本実施形態のズボン１においても、後側の脇線２６を、前側の脇線２５よりも大きくえぐることで、従来のスリムタイプのズボンと同様の細みのある美しいシルエットを得ることができる。
【００２３】
また、本実施形態における生地片２０の繊維方向は、内股線２４と平行である。生地は、縦方向及び横方向に夫々繊維方向があり、従来の一般的な２枚の生地片で一筒部を成すズボンでは、生地片の繊維方向（通常は縦方向、図で矢印で示す）を、前折り山線及び後折り山線（図２では夫々線分２０Ｅ、２０Ｆで示す）と平行にしている。これにより、完成したズボンを正面から見たときに、生地の縦の繊維方向が垂直方向となり、特に、生地の繊維方向に模様が形成されている場合には、見栄えを良くすることができる。
【００２４】
一方、本実施形態のズボン１では、左前身頃２２と左後身頃２３とが内股線２４で連続しているので、前折り山線２０Ｅ及び後折り山線２０Ｆは、裾方向に向かうに従って互いの距離が近くなるように斜めに傾斜しており、平行ではない。そこで、前折り山線２０Ｅ及び後折り山線２０Ｆの概ね中央に位置する内股線２４に、生地片２０の縦の繊維方向を合わせることで、図３に示すように、完成したズボンを正面から見たときに、生地の縦・横の繊維方向が、左筒部２側及び右筒部３側において左右対称となるので、観者に対して不自然な印象を与えず、見栄えを良くすることができる。
【００２５】
また、完成したズボンでは、生地の横の繊維方向は、内股線２４から脇線２５、２６方向へ斜めに伸びる。そのため、ウエストラインからヒップラインにかけて、斜めのバイアスを取ることができ、伸縮性が向上し、履き易さを向上させることができる。更に、縫製に際しても、脇線２５、２６の縫合箇所にバイアスを取ることによって当該箇所の強度が増すので、糸の抜けが少ない縫合を行うことができる。
【００２６】
図４に示すように、左筒部２及び右筒部３を夫々構成する生地片２０、３０は、互いに上下反対に隣り合わせた状態となるように、型入れされることが好ましい。生地片２０、３０は、胴周辺の幅が、裾周辺の幅よりも広いので、これらを上下反対に隣り合わせることで、原生地４からより多くの生地片２０、３０を裁断することができ、無駄な生地片が生じることを低減することができる。また、上記配置によれば、各生地片２０、３０の内股線２４、３４を、原生地４の繊維方向に平行に合わせることも簡易に行うことができる。
【００２７】
なお、本考案は、筒部を、前身頃及び後身頃が内股線において連続した一枚の生地片から製作し、生地片の少なくとも一方の脇線が生地内側に湾曲した構成であれば、上記実施形態に限らず、種々の変形が可能である。例えば、内股線は、股下の上端から下端にわたる全領域で連続していなくてもよく、少なくとも腿周辺部から膝周辺部にかけての領域が連続していて前身頃と後身頃とが繋がっていればよい。すなわち、腿周辺部から膝周辺部にかけての領域は、歩行や運動時に着用者の肌と擦れる頻度が高いので、この領域の縫い代を無くせば、ズボンの履き心地を十分向上させることができる。
【００２８】
一方、脛周辺部から裾周辺部にかけての領域は、縫い代があっても、さほど気にならない。従って、例えば、生地片の裾周辺部には切り込みが形成され、それらが縫合されていてもよい。この構成は、より裾幅の狭いことが望まれる、スポーツウェアやフィットネスウェアに好適に用いることができる。
【符号の説明】
【００２９】
１    ズボン
２    左筒部
２０    生地片
２１    股ぐり部
２２    左前身頃
２３    左後身頃
２４    内股線
２５    脇線（前身頃側）
２６    脇線（後身頃側）
３    右筒部
３１    股ぐり部
３２    右前身頃
３３    右後身頃
３４    内股線
【図１】
0003214243.tif 000003
【図２】
0003214243.tif 000004
【図３】
0003214243.tif 000005
【図４】
0003214243.tif 000006
【図５】
0003214243.tif 000007
【図６】
0003214243.tif 000008